(57)【要約】  利用者による円滑で効率的なボタン入力操作を可能とし、入力間違いや不必要な呼び登録の発生を低減して、利用者の利便性やエレベーターの運行効率が良好であるエレベーターの操作装置を提供する。このため、エレベーターの利用者が押下することにより目的階への呼び登録操作を行うためのテンキーボタンを備えたエレベーターの操作装置において、テンキーボタンのそれぞれに設けられたボタン点灯手段と、エレベーターがサービスを行っており停止可能である階床に関する情報であるサービス階情報を記録するサービス階記録機能と、このサービス階情報及び利用者によるテンキーボタンの操作の状況に応じて、サービス対象となっており停止可能な階床を目的階とする呼び登録操作を行おうとする場合に押下することが必要なテンキーボタンのボタン点灯手段を点灯又は点滅させるテンキーボタン灯制御機能と、を備えた。
2010001446.tif 000002
【特許請求の範囲】
【請求項１】
エレベーターの利用者が押下することにより目的階への呼び登録操作を行うためのテンキーボタンを備えたエレベーターの操作装置において、
前記テンキーボタンのそれぞれに設けられたボタン点灯手段と、
前記エレベーターがサービスを行っており停止可能である階床に関する情報であるサービス階情報を記録するサービス階記録機能と、
前記サービス階記録機能に記録された前記サービス階情報及び利用者による前記テンキーボタンの操作の状況に応じて、サービス対象となっており停止可能な階床を目的階とする呼び登録操作を行おうとする場合に押下することが必要な前記テンキーボタンの前記ボタン点灯手段を点灯又は点滅させるテンキーボタン灯制御機能と、を備えたことを特徴とするエレベーターの操作装置。
【請求項２】
前記テンキーボタンから出力される利用者によりなされた前記テンキーボタンに対する操作に関する情報であるボタン操作情報と時計機能から出力される時刻情報とから、ボタン操作履歴を生成し、この生成されたボタン操作履歴を記録するテンキーボタン操作履歴記録機能と、
前記テンキーボタン操作履歴記録機能に記録された前記ボタン操作履歴に基づいて、各階床に対する時間帯別の利用率であるフロア利用率を算出し、この算出されたフロア利用率を記録する利用率学習機能と、を備え、
前記テンキーボタン灯制御機能は、前記利用率学習機能に記録された前記フロア利用率及び利用者による前記テンキーボタンの操作の状況に応じて利用者が前記テンキーボタンの操作時に押下する可能性の高い前記テンキーボタンの前記ボタン点灯手段を点灯又は点滅させることを特徴とする請求項１に記載のエレベーターの操作装置。
【請求項３】
前記利用率学習機能は、定期的に前記フロア利用率を算出して記録することを特徴とする請求項２に記載のエレベーターの操作装置。
【請求項４】
前記テンキーボタン灯制御機能は、点灯又は点滅させる前記ボタン点灯手段を、利用者により前記テンキーボタンが未だ押下されていない待機状態であるのか、利用者により前記テンキーボタンに対し１回目の押下がなされた状態であるのか、により決定することを特徴とする請求項１から請求項３のいずれかに記載のエレベーターの操作装置。
【発明の詳細な説明】
【技術分野】
【０００１】
この発明は、エレベーターの操作装置に関するものである。
【背景技術】
【０００２】
一般的に、エレベーターの利用者が操作することにより呼び登録が行われる操作装置としては、各停止階毎のそれぞれに対応して呼び登録ボタンを設けられることが多い。その一方で、近年、高層ビル等に設置されたいわゆる多階停止型のエレベーターにおいては、呼び登録ボタンの個数が多くなることを避けるためにテンキー方式の操作装置を採用する例が増加する傾向にある。
このように、従来におけるエレベーターの操作装置においてテンキー方式を採用したものとして、行先階を任意に指定するためのテンキーと、あらかじめ設定された特定階の行先階ボタンとを備え、前記特定階の行先階ボタンに割り当てる行先階は、学習により呼び登録回数の多い階に自動的に決定されるように構成されたものが知られている（例えば、特許文献１参照）。
他にも、従来におけるエレベーターの操作装置において、テンキー方式を採用し、乗場で行先呼びを登録するエレベーターで、利用者が自分の行きたい階の登録の有無及び自分の乗るべきかごを早く確認できるようにしたものとしては、行先階を入力するテンキーと、このテンキーの近傍に設けられこのテンキーにより登録された行先階及びこの行先階に割り当てられたかご号機を表示する表示器と、を備えたものが知られている（例えば、特許文献２参照）。【０００３】
【特許文献１】日本特開平０８−１１９５４３号公報
【特許文献２】日本特開２００１−２８７８７６号公報
【発明の開示】
【発明が解決しようとする課題】
【０００４】
しかしながら、従来におけるテンキー方式を採用したエレベーターの操作装置においては、一般的な各停止階毎のそれぞれに対応して設けられた呼び登録ボタンと比較した場合に、０〜９の数字ボタン及び地下階ボタンの組合せにより実現可能な全ての階床を入力することが可能であってやや複雑な操作を要し、また、実際に呼び登録がなされるかどうかは別としてサービス対象となっていないため停止しない階床を指定する入力も可能であることに加えて、利用者がその操作に関して不慣れであるということもある。
このため、利用者が目的階に行くための操作を思うように行うことができない可能性があるという課題、入力間違いによる再入力等の利用者の手間が増加し利便性が低下するという課題や、不必要な呼び登録が生じてしまいエレベーターの運行効率が悪化するおそれがあるという課題がある。【０００５】
また、特許文献１に示された従来におけるエレベーターの操作装置においては、目的階が特定階行先階ボタンに割り当てられていた場合には利用者は当該特定階行先階ボタンを押下することで目的階に対する呼び登録を行うことが可能であるものの、特定階行先ボタンの個数には限りがあるため、特定階行先階ボタンに目的階が割り当てられていない場合も十分考えられる。
このように特定階行先階ボタンに目的階が割り当てられていない場合には、利用者はテンキーにより操作せざるをえないため、前述した従来におけるテンキー方式を採用したエレベーターの操作装置における課題と同様の課題がある。
さらに、これとは別に、テンキー以外に特定階行先階ボタンを設置するためのスペースが必要であるという課題もある。【０００６】
この発明は、前述のような課題を解決するためになされたもので、利用者による円滑で効率的なボタン入力操作を可能とし、入力間違いや不必要な呼び登録の発生を低減して、利用者の利便性やエレベーターの運行効率が良好であるエレベーターの操作装置を得るものである。
【課題を解決するための手段】
【０００７】
この発明に係るエレベーターの操作装置に関しては、エレベーターの利用者が押下することにより目的階への呼び登録操作を行うためのテンキーボタンを備えたエレベーターの操作装置において、前記テンキーボタンのそれぞれに設けられたボタン点灯手段と、前記エレベーターがサービスを行っており停止可能である階床に関する情報であるサービス階情報を記録するサービス階記録機能と、前記サービス階記録機能に記録された前記サービス階情報及び利用者による前記テンキーボタンの操作の状況に応じて、サービス対象となっており停止可能な階床を目的階とする呼び登録操作を行おうとする場合に押下することが必要な前記テンキーボタンの前記ボタン点灯手段を点灯又は点滅させるテンキーボタン灯制御機能と、を備えた構成とする。
【発明の効果】
【０００８】
この発明はエレベーターの操作装置に関し、エレベーターの利用者が押下することにより目的階への呼び登録操作を行うためのテンキーボタンを備えたエレベーターの操作装置において、前記テンキーボタンのそれぞれに設けられたボタン点灯手段と、前記エレベーターがサービスを行っており停止可能である階床に関する情報であるサービス階情報を記録するサービス階記録機能と、前記サービス階記録機能に記録された前記サービス階情報及び利用者による前記テンキーボタンの操作の状況に応じて、サービス対象となっており停止可能な階床を目的階とする呼び登録操作を行おうとする場合に押下することが必要な前記テンキーボタンの前記ボタン点灯手段を点灯又は点滅させるテンキーボタン灯制御機能と、を備えた構成としたことで、利用者による円滑で効率的なボタン入力操作を可能とし、入力間違いや不必要な呼び登録の発生を低減して、利用者の利便性やエレベーターの運行効率を良好とすることができるという効果を奏する。
【図面の簡単な説明】
【０００９】
【図１】この発明の実施の形態１、２におけるエレベーターの操作装置の全体構成を示すブロック図である。
【図２】この発明の実施の形態１、２におけるエレベーターの操作装置の正面図である。
【図３】この発明の実施の形態２におけるテンキーボタン操作履歴記録機能に記録されるボタン操作履歴の例を示す図である。
【符号の説明】
【００１０】
１    操作盤
２    表示部
３    テンキーボタン
３ａ  ボタン灯
４    テンキー操作機器
５    テンキーボタン灯制御機能
６    サービス階記録機能
７    ボタン灯制御情報
８    サービス階情報
９    エレベーター管理情報
１０    時計機能
１１    テンキーボタン操作履歴記録機能
１２    利用率学習機能
１３    時刻情報
１４    ボタン操作情報
１５    ボタン操作履歴
１６    フロア利用率
【発明を実施するための最良の形態】
【００１１】
実施の形態１．
図１及び図２は、この発明の実施の形態１及び実施の形態２に関するもので、図１はエレベーターの操作装置の全体構成を示すブロック図、図２はエレベーターの操作装置の正面図である。
図において１は、エレベーターのかご内や乗場に設けられ、利用者が目的階への呼び登録操作等を行うための操作盤であり、この操作盤１には、当該エレベーターの進行方向や現在位置等の情報を表示する表示部２、及び、押下することにより利用者が目的階への呼び登録操作を行うためのテンキーボタン３が設けられている。
４は前記テンキーボタン３を含めた操作装置の動作全般を制御するテンキー操作機器であり、前記テンキーボタン灯制御機能５及び前記サービス階記録機能６を備えている。
前記テンキーボタン３の各ボタンには例えばＬＥＤからなるボタン灯３ａ（ボタン点灯手段）が内蔵されており、このボタン灯３ａは、前記テンキーボタン灯制御機能５から出力されるボタン灯制御情報７に基づいて点灯又は点滅動作を行う。
そして、前記サービス階記録機能６は、図示しないエレベーターの管理装置から出力されるエレベーター管理情報９の入力を受けて、このエレベーター管理情報９に含まれている当該エレベーターがサービスを行っている（当該エレベーターが停止可能である）階床に関する情報であるサービス階情報８を取得し、これを記録する機能を有する。【００１２】
前記サービス階記録機能６はこの記録している前記サービス階情報８を前記テンキーボタン灯制御機能５へと出力する。そして、前記テンキーボタン灯制御機能５はこのサービス階情報８に基づいて、サービス対象となっており停止可能な階床を目的階とする呼び登録操作を行おうとする場合に押下することが必要な前記テンキーボタン３の前記ボタン灯３ａを、利用者による前記テンキーボタン３の操作の状況に応じて、点灯又は点滅させるように前記ボタン灯制御情報７を前記ボタン灯３ａへと出力することにより、前記ボタン灯３ａの点灯又は点滅動作につき必要な制御を行う。
換言すれば、そのボタンが押下されることにより、サービス対象となっておらず停止不能な階床に対する呼び登録が行われることになってしまう前記テンキーボタン３の前記ボタン灯３ａは、点灯又は点滅することがないように制御されることになる。【００１３】
以下、この実施の形態におけるエレベーターの操作機器の動作を、具体的に例えば、当該エレベーターのサービス対象となっており停止可能な階床が、地下５階、地下４階、地下３階、（地上）１階、６階、７階、１５階、１６階、１７階、２１階、２２階及び２３階の各階床であるとした場合について説明する。
まず、利用者により前記テンキーボタン３が未だ押下されていない待機状態においては、「地下階」ボタン並びに「１」、「２」、「６」及び「７」の各数字ボタンが点灯又は点滅動作する。
これは、サービス対象となっており停止可能な階床を目的階とする呼び登録を行う際に、前記待機状態から１回目の押下を行う必要があるボタンを点灯又は点滅させることにより示すもので、「地下階」ボタンであれば地下５階、地下４階及び地下３階に対する呼び登録が可能であることに対応し、同様に「１」ボタンは１階、１５階、１６階及び１７階に、「２」ボタンは２１階、２２階及び２３階に、「６」ボタンは６階に、「７」ボタンは７階に、それぞれ対応するものである。【００１４】
この待機状態から１回目の押下として「地下階」ボタンが押下された場合には、今度は、「３」、「４」及び「５」の各数字ボタンが点灯又は点滅動作する。これは続けて２回目の押下として点灯又は点滅しているボタンを押下することにより、地下５階、地下４階及び地下３階に対する呼び登録が可能であることに対応するものである。
そして、前記待機状態から１回目の押下として「１」ボタンが押下された場合には、「５」、「６」及び「７」の各数字ボタンが点灯又は点滅動作する。これは２回目の押下として続けて点灯又は点滅しているボタンを押下することにより、１５階、１６階及び１７階に対する呼び登録が可能であることに対応するものである。なお、ここで、入力完了を操作装置へと通知する機能を有するボタン（例えば「確認」ボタンや「完了」ボタン）を押下することにより、１階に対する呼び登録が行われる。
前記待機状態から１回目の押下として「２」ボタンが押下された場合には、「１」、「２」及び「３」の各数字ボタンが点灯又は点滅動作する。これは２回目の押下として続けて点灯又は点滅しているボタンを押下することにより、２１階、２２階及び２３階に対する呼び登録が可能であることに対応するものである。
また、前記待機状態から１回目の押下として「６」又は「７」ボタンが押下された場合には、「地下階」ボタン及び各数字ボタンのいずれのボタンも点灯及び点滅動作しない。ここで、６階又は７階に対する呼び登録を行いたい場合には、入力完了を操作装置へと通知する機能を有するボタンを押下すればよい。【００１５】
なお、前記エレベーター管理情報９は、例えばフロアの新設等により当該エレベーターのサービス状況が変化する都度、前記エレベーターの管理装置から出力され、このエレベーター管理情報９を受けた前記サービス階記録機能６は、記録する前記サービス階情報８を更新するため、前記サービス階記録機能６に記録される前記サービス階情報８は常に最新の情報に更新された状態が維持される。【００１６】
以上のように構成されたエレベーターの操作装置においては、サービス対象となっており停止可能な階床を目的階とする呼び登録を行う際に、待機状態であるのか１回目の押下が行われた状態であるのかに応じて、次に押下を行う必要があるボタンを点灯又は点滅させることにより、当該エレベーターの利用者は、次に押下をすれば良いボタンを視覚的に判断することが容易となるため、利用者による円滑で効率的なボタン入力操作を可能となり、入力間違いや不必要な呼び登録の発生を低減して、利用者の利便性やエレベーターの運行効率を良好とすることができる。【００１７】
実施の形態２．
図３は、この発明の実施の形態２に関するもので、テンキーボタン操作履歴記録機能に記録されるボタン操作履歴の例を示す図である。
ここで説明する実施の形態２は、前述した実施の形態１の構成において、テンキーボタンの操作履歴記録に基づいて算出した時間帯別のフロア利用率に基づいて利用者がテンキーボタンの操作時に押下する可能性の高いテンキーボタンのボタン灯を点灯又は点滅させるようにしたものである。
すなわち、前記テンキー操作機器４には、時計機能１０、テンキーボタン操作履歴記録機能１１及び利用率学習機能１２が設けられており、他の構成は実施の形態１と同様である。【００１８】
前記時計機能１０は、時間を計っておりここから現在時刻に関する情報である時刻情報１３を取得することができる。
前記テンキーボタン操作履歴記録機能１１は、前記テンキーボタン３から出力される利用者によりなされた前記テンキーボタン３に対する操作に関する情報であるボタン操作情報１４の入力を受けて、このボタン操作情報１４を記録する。
また、前記テンキーボタン操作履歴記録機能１１は、このボタン操作情報１４と、前記時計機能１０から出力される前記時刻情報１３より取得した現在時刻とから、ボタン操作履歴１５を生成し、この生成されたボタン操作履歴１５を記録する。前記テンキーボタン操作履歴記録機能１１に記録される前記ボタン操作履歴１５の例を図３に示す。【００１９】
そして、前記利用率学習機能１２は、前記テンキーボタン操作履歴記録機能１１から出力される前記ボタン操作履歴１５に基づいて、各階床（フロア）に対する時間帯別の利用率であるフロア利用率１６を定期的に算出し、この算出されたフロア利用率１６を記録する機能を持つ。
例えば、図３に示された前記ボタン操作履歴１５の例によれば、９時までの朝の時間帯においては、地下５階、地下４階及び１階の利用率が高く、９時から１１時までの午前中の時間帯においては、１６階の利用率が高く、１１時から１３時までの昼の時間帯においては、地下３階、１７階及び２３階の利用率が高く、１３時から１９までの午後から夕方にかけての時間帯においては、地下３階、１階、６階、７階及び１６階の利用率が高く、１９時以降の夜の時間帯においては、６階、７階、１５階、２１階及び２２階の利用率が高い。
前記フロア利用率１６は、このような各階床に対する時間帯別の利用状況を適切に反映するように算出される。【００２０】
以下、この実施の形態におけるエレベーターの操作機器の動作を、具体的に例えば、当該エレベーターのボタン操作履歴が図３に示すようになっているとした場合について説明する。
まず、９時までの朝の時間帯においては、地下５階、地下４階及び１階の利用率が高くなっている。これを受けて、当該時間帯の利用者により前記テンキーボタン３が未だ押下されていない待機状態においては、「地下階」ボタン及び「１」ボタンが点灯又は点滅動作する。
これは、過去の操作履歴やフロア利用率からみて当該時間帯において目的階とされる可能性が高い階床に対する呼び登録を行う際に、前記待機状態から１回目の押下を行う可能性が高いボタンを点灯又は点滅させることにより示すもので、「地下階」ボタンであれば地下５階及び地下４階に対する呼び登録が可能であることに対応し、「１」ボタンは１階に対する呼び登録が可能であることに対応するものである。
この待機状態から１回目の押下として「地下階」ボタンが押下された場合には、今度は、「４」及び「５」の各数字ボタンが点灯又は点滅動作する。これは２回目の押下として続けて点灯又は点滅しているボタンを押下することにより、地下５階及び地下４階に対する呼び登録が可能であることに対応するものである。
そして、前記待機状態から１回目の押下として「１」ボタンが押下された場合には、「地下階」ボタン及び各数字ボタンのいずれのボタンも点灯及び点滅動作しない。ここで、１階に対する呼び登録を行いたい場合には、入力完了を操作装置へと通知する機能を有するボタンを押下すればよい。【００２１】
９時から１１時までの午前中の時間帯においては、１６階の利用率が高くなっている。これを受けて、当該時間帯の前記待機状態においては、「１」ボタンが点灯又は点滅動作する。
この待機状態から１回目の押下として「１」ボタンが押下された場合には、「６」ボタンが点灯又は点滅動作する。これは２回目の押下として続けて点灯又は点滅しているボタンを押下することにより、過去の操作履歴やフロア利用率からみて当該時間帯において目的階とされる可能性が高い階床である１６階に対する呼び登録が可能であることに対応するものである。【００２２】
１１時から１３時までの昼の時間帯においては、地下３階、１７階及び２３階の利用率が高くなっている。これを受けて、当該時間帯の前記待機状態においては、「地下階」ボタン並びに「１」及び「２」の各数字ボタンが点灯又は点滅動作する。
これは、過去の操作履歴やフロア利用率からみて当該時間帯において目的階とされる可能性が高い階床に対する呼び登録を行う際に、前記待機状態から１回目の押下を行う可能性が高いボタンを点灯又は点滅させることにより示すもので、「地下階」ボタンであれば地下３階、「１」ボタンは１７階、「２」ボタンは２３階のそれぞれに対する呼び登録が可能であることに対応するものである。
この待機状態から１回目の押下として「地下階」ボタンが押下された場合には、「３」ボタンが点灯又は点滅動作する。これは２回目の押下として続けて点灯又は点滅しているボタンを押下することにより、地下３階に対する呼び登録が可能であることに対応するものである。
また、前記待機状態から１回目の押下として「１」ボタンが押下された場合には、「７」ボタンが点灯又は点滅動作する。これは２回目の押下として続けて点灯又は点滅しているボタンを押下することにより、１７階に対する呼び登録が可能であることに対応するものである。
そして、前記待機状態から１回目の押下として「２」ボタンが押下された場合には、「３」ボタンが点灯又は点滅動作する。これは２回目の押下として続けて点灯又は点滅しているボタンを押下することにより、２３階に対する呼び登録が可能であることに対応するものである。【００２３】
１３時から１９までの午後から夕方にかけての時間帯においては、地下３階、１階、６階、７階及び１６階の利用率が高くなっている。これを受けて、当該時間帯の前記待機状態においては、「地下階」ボタン並びに「１」、「６」及び「７」の各数字ボタンが点灯又は点滅動作する。
これは、過去の操作履歴やフロア利用率からみて当該時間帯において目的階とされる可能性が高い階床に対する呼び登録を行う際に、前記待機状態から１回目の押下を行う可能性が高いボタンを点灯又は点滅させることにより示すもので、「地下階」ボタンは地下３階、「１」ボタンは１階及び１６階、「６」ボタンは６階、「７」ボタンは７階のそれぞれに対する呼び登録が可能であることに対応するものである。
この待機状態から１回目の押下として「地下階」ボタンが押下された場合には、「３」ボタンが点灯又は点滅動作する。これは２回目の押下として続けて点灯又は点滅しているボタンを押下することにより、地下３階に対する呼び登録が可能であることに対応するものである。
また、前記待機状態から１回目の押下として「１」ボタンが押下された場合には、「６」ボタンが点灯又は点滅動作する。これは２回目の押下として続けて点灯又は点滅しているボタンを押下することにより、１６階に対する呼び登録が可能であることに対応するものである。ここで、１階に対する呼び登録を行いたい場合には、他のボタンを押下することなく入力完了を操作装置へと通知する機能を有するボタンを押下すればよい。
そして、前記待機状態から１回目の押下として「６」又は「７」ボタンが押下された場合には、「地下階」ボタン及び各数字ボタンのいずれのボタンも点灯及び点滅動作しない。ここで、６階又は７階に対する呼び登録を行いたい場合には、続けて入力完了を操作装置へと通知する機能を有するボタンを押下すればよい。【００２４】
最後に、１９時以降の夜の時間帯においては、６階、７階、１５階、２１階及び２２階の利用率が高くなっている。これを受けて、当該時間帯の前記待機状態においては、「１」、「２」、「６」及び「７」の各数字ボタンが点灯又は点滅動作する。
これは、過去の操作履歴やフロア利用率からみて当該時間帯において目的階とされる可能性が高い階床に対する呼び登録を行う際に、前記待機状態から１回目の押下を行う可能性が高いボタンを点灯又は点滅させることにより示すもので、「１」ボタンは１５階、「２」ボタンは２１階及び２２階、「６」ボタンは６階、「７」ボタンは７階のそれぞれに対する呼び登録が可能であることに対応するものである。
この待機状態から「１」ボタンが押下された場合には、「５」ボタンが点灯又は点滅動作する。これは続けて点灯又は点滅しているボタンを押下することにより、１５階に対する呼び登録が可能であることに対応するものである。
また、前記待機状態から「２」ボタンが押下された場合には、「１」及び「２」の各数字ボタンが点灯又は点滅動作する。これは続けて点灯又は点滅しているボタンを押下することにより、２１階及び２２階に対する呼び登録が可能であることに対応するものである。
そして、前記待機状態から「６」又は「７」ボタンが押下された場合には、「地下階」ボタン及び各数字ボタンのいずれのボタンも点灯及び点滅動作しない。ここで、６階又は７階に対する呼び登録を行いたい場合には、続けて入力完了を操作装置へと通知する機能を有するボタンを押下すればよい。【００２５】
なお、前記フロア利用率１６は定期的に算出されるため、利用者の前記テンキーボタン３の操作による前記ボタン操作履歴１５の更新に伴って前記フロア利用率１６も更新され、最新の状態が維持される。【００２６】
以上のように構成されたエレベーターの操作装置においては、過去の操作履歴やフロア利用率からみて当該時間帯において目的階とされる可能性が高い階床に対する呼び登録を行う際に、待機状態であるのか１回目の押下が行われた状態であるのかに応じて、次に押下を行う可能性が高いボタンを点灯又は点滅させることにより、当該エレベーターの利用者は、次に押下をする可能性の高いボタンを視覚的に判断することが容易となるため、実施の形態１と同様、利用者による円滑で効率的なボタン入力操作を可能となり、入力間違いや不必要な呼び登録の発生を低減して、利用者の利便性やエレベーターの運行効率を良好とすることができる。
また、フロア利用率を定期的に更新することにより、フロア利用状況の変化にも対応することが可能である。【００２７】
なお、前述した実施の形態１とここで述べた実施の形態２とを組み合わせて用いる場合には、例えば、サービス対象となっており停止可能な階床を目的階とする呼び登録を行う際に押下を行う必要があるボタンを点灯させるとともに、過去の操作履歴やフロア利用率からみて当該時間帯において目的階とされる可能性が高い階床に対する呼び登録を行う際に押下を行う必要があるボタンを点滅させるといったことが考えられる。
【産業上の利用可能性】
【００２８】
この発明は、エレベーターの利用者が押下することにより目的階への呼び登録操作を行うためのテンキーボタンを備えたエレベーターの操作装置に利用できる。
【図１】
2010001446.tif 000003
【図２】
2010001446.tif 000004
【図３】
2010001446.tif 000005
【国際調査報告】
2010001446.tif 000006
2010001446.tif 000007